【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
複数の媒体を所定の集積方向に沿って集積させる集積空間を形成する集積部と、
前記集積部における前記集積方向と反対の反集積方向側に設けられ、前記集積空間に集積された前記媒体を１枚ずつに分離して取り込む分離取込部と、
前記集積空間内で前記集積方向又は前記反集積方向へ移動可能であり、該集積空間内に集積された前記媒体を前記反集積方向に押圧する媒体押圧部と、
閉塞状態において前記集積空間を外部の空間から遮蔽し、開放状態において前記集積空間を外部の空間と連通させるカバー部と、
前記カバー部及び前記媒体押圧部のうち何れか一方を他方と連動させることにより、前記カバー部が前記開放状態である場合に前記媒体押圧部を前記集積空間の前記集積方向側に位置させ、前記カバー部が前記閉塞状態である場合に前記媒体押圧部により前記集積空間内の前記媒体を前記反集積方向に押圧させる連動部と
ことを特徴とする媒体取込装置。
【請求項２】
前記連動部は、前記カバー部を前記閉塞状態から前記開放状態に遷移させる場合に、前記媒体押圧部を前記集積空間において前記集積方向へ移動させ、前記カバー部を前記開放状態から前記閉塞状態に遷移させる場合に、前記媒体押圧部を前記集積空間内において前記反集積方向へ移動させる
ことを特徴とする請求項１に記載の媒体取込装置。
【請求項３】
前記連動部は、前記カバー部が前記開放状態である場合に、前記分離取込部及び前記媒体押圧部の間を、所定枚数の前記媒体を投入可能な間隔以上に引き離す
ことを特徴とする請求項２に記載の媒体取込装置。
【請求項４】
前記連動部は、前記集積空間に前記媒体が集積されている場合、前記カバー部を前記開放状態から前記閉塞状態に遷移させる途中で、前記媒体押圧部と前記カバー部との連動を解除する
ことを特徴とする請求項２に記載の媒体取込装置。
【請求項５】
前記連動部は、前記カバー部を前記閉塞状態から前記開放状態に遷移させる場合、少なくとも一時的に、前記カバー部から前記媒体押圧部に前記集積方向へ力を伝える
ことを特徴とする請求項２に記載の媒体取込装置。
【請求項６】
前記カバー部は、所定の回動軸を中心に回動することにより前記閉塞状態又は前記開放状態に遷移し、
前記連動部は、前記媒体押圧部に設けられた媒体押圧部連動体と、前記カバー部に設けられたカバー部連動体とを当接させることにより、前記カバー部を前記閉塞状態から前記開放状態に遷移させる場合に、前記媒体押圧部を前記集積空間で前記集積方向へ移動させる
ことを特徴とする請求項２に記載の媒体取込装置。
【請求項７】
前記カバー部は、回動時に前記媒体押圧部と連動する場合、前記カバー部連動体において前記媒体押圧部連動体が当接する箇所を回動に伴って変位させ、
前記媒体押圧部連動体は、自在に回転可能な連動ローラであり、前記カバー部連動体と当接する場合に、該連動ローラの周側面を前記カバー部連動体に当接させる
ことを特徴とする請求項６に記載の媒体取込装置。
【請求項８】
前記集積部において前記集積空間を囲む集積側部に形成され、前記集積方向に沿った集積方向溝
をさらに具え、
前記媒体押圧部連動体は、前記集積方向溝に挿通されている
ことを特徴とする請求項７に記載の媒体取込装置。
【請求項９】
前記媒体押圧部連動体は、自在に回転可能な溝ローラを有し、前記集積方向溝の内側面に該溝ローラを当接させる
ことを特徴とする請求項８に記載の媒体取込装置。
【請求項１０】
前記連動部は、前記媒体押圧部を前記集積空間内において前記集積方向へ移動させることにより、前記カバー部を前記閉塞状態から前記開放状態に遷移させ、前記媒体押圧部を前記集積空間内において前記反集積方向へ移動させることにより、前記カバー部を前記開放状態から前記閉塞状態に遷移させる
ことを特徴とする請求項１に記載の媒体取込装置。
【請求項１１】
前記カバー部及び前記媒体押圧部は、前記カバー部が前記開放状態である場合に、該カバー部と前記媒体押圧部との間に前記媒体が投入されることを抑止する
ことを特徴とする請求項１に記載の媒体取込装置。
【請求項１２】
媒体を取り込む媒体取込部と、
前記媒体取込部により取り込まれた前記媒体を搬送する搬送部と
前記搬送部により搬送された前記媒体を鑑別する鑑別部と
を具え、
前記媒体取込部は、
複数の前記媒体を所定の集積方向に沿って集積させる集積空間を形成する集積部と、
前記集積部における前記集積方向と反対の反集積方向側に設けられ、前記集積空間に集積された前記媒体を１枚ずつに分離して取り込む分離取込部と、
前記集積空間内で前記集積方向又は前記反集積方向へ移動可能であり、該集積空間内に集積された前記媒体を前記反集積方向に押圧する媒体押圧部と、
閉塞状態において前記集積空間を外部の空間から遮蔽し、開放状態において前記集積空間を外部の空間と連通させるカバー部と、
前記カバー部及び前記媒体押圧部のうち何れか一方を他方と連動させることにより、前記カバー部が前記開放状態である場合に前記媒体押圧部を前記集積空間の前記集積方向側に位置させ、前記カバー部が前記閉塞状態である場合に前記媒体押圧部により前記集積空間内の前記媒体を前記反集積方向に押圧させる連動部と
を具えることを特徴とする媒体処理装置。
【請求項１３】
前記媒体取込部に対し、前記カバー部が前記開放状態において前記集積空間を開放する手前側に配置され、前記搬送部から受け取った前記媒体を集積する第１排出媒体集積空間と、該第１排出媒体集積空間を開放又は閉塞する第１排出カバーとを有する第１媒体排出部と、
前記第１媒体排出部の手前側に配置され、前記搬送部から受け取った前記媒体を集積する第２排出媒体集積空間と、該第２排出媒体集積空間を開放又は閉塞する第２排出カバーとを有する第２媒体排出部と
をさらに具え、
前記媒体取込部は、前記集積部において前記媒体を載置する載置面の手前側端部が、開放された前記第１排出カバーの上端よりも低く、且つ開放された前記第２排出カバーの上端よりも高い位置に配置され、
前記搬送部は、前記鑑別部において排出すべきと鑑別されたリジェクト媒体を前記第２媒体排出部へ搬送し、
前記第２媒体排出部は、前記第２排出カバーを開放し、前記搬送部により搬送された前記リジェクト媒体を前記第２排出媒体集積空間に集積する
ことを特徴とする請求項１２に記載の媒体処理装置。
【手続補正２】
【補正対象書類名】明細書
【補正対象項目名】０１０９
【補正方法】変更
【補正の内容】
【０１０９】
因みに連動部９０では、中央カバー部２２の回動に伴って連動板６２が前後方向に変位するため、該連動板６２における連動ローラ８８の当接箇所も前後方向に変位する。しかしながら連動ローラ８８は、ローラ回転軸８５を中心として回動し得るため、連動板６２との間に摩擦力を作用させることが無く、中央カバー部２２の回動を阻害することも無い。
【手続補正３】
【補正対象書類名】明細書
【補正対象項目名】０１５９
【補正方法】変更
【補正の内容】
【０１５９】
例えば図１８（Ａ）に示す入金部２１２のように、複数の棒状の部材を自在に回動し得るように連結した、いわゆるリンク機構を有する連動部２９０を構成しても良い。この入金部２１２では、図１８（Ｂ）に示すように、中央カバー部２２を開放状態に遷移させると、連動部２９０が直線状になってバックアップ部２９を引っ張り上げる。また入金部２１２は、図１８（Ｃ）に示すように、集積空間３０内に収納された紙幣の上側にバックアップ部２９を載置させ場合、連動部２９０を屈曲させながら、中央カバー部２２を閉塞状態にまで回動させることができる。要は、中央カバー部２２の回動とバックアップ部２９の移動とを連動させることができれば良い。第２の実施の形態についても同様である。